(57)【要約】【課題】  使い勝手に優れた折り畳み自在な包装用中仕切を得ること。【解決手段】  単一の中仕切材料用シートの周囲に中仕切の横片部を構成する余白部１０を残し、該シートに切目１４ｂを設けることにより、一側に糊代部１４ａを備えた内側分割縦片部１４が設けられ、その他側に外側縦片部１６が切目１６ｂによって形成された中仕切用シート２０Ａ、２０Ｂの一対が設けられ、一方の中仕切用シート２０Ａを裏返し、両糊代部１４ａの内側面が接着されてなるもの。【選択図】  図１２
0003118256.tif 000002
【実用新案登録請求の範囲】
【請求項１】
矩形状の中仕切材料用シートにおいて、周囲に中仕切の横片部を構成することになる余白部１０が残され、前記の中仕切材料用シートの上下方向に非切込部１２が残存され、前記の非切込部１２の一側に縦長であって略コ字状の切目１４ｂを形成することにより、一側に糊代部１４ａを備えた内側分割縦片部１４が形成されると共に、前記の非切込部１２の他側に前記の内側分割縦片部１４と一体の外側縦片部１６が切目１６ｂを介して備えられ、前記の内側分割縦片部１４と前記の外側縦片部１６の境の非切込部１２の上下端の延長線上に折目１８が形成されてなる一方の中仕切用シート２０Ａと、
前記の一方の中仕切用シート２０Ａと同一の形態による他方の中仕切用シート２０Ｂとからなり、
一方の中仕切用シート２０Ａを裏返し、他方の中仕切用シート２０Ｂを他側へずらして重ね合わせ、
一方の中仕切用シート２０Ａの内側分割縦片部１４の糊代部１４ａと他方の中仕切用シート２０Ｂの内側分割縦片部１４の糊代部１４ａのそれぞれの内側面が接着されてなることを特徴とする包装用中仕切。
【請求項２】
矩形状の中仕切材料用シートにおいて、周囲に中仕切の横片部を構成することになる余白部１０が残され、上下方向に非切込部４０が残存され、前記の非切込部４０の一側に縦長であって略コ字状の切目４２ｂを形成することにより、一側に糊代部４２ａを備えた第１の内側分割縦片部４２が形成されると共に、前記の非切込部４０の他側に前記の第１の内側分割縦片部４２と一体の第１の外側縦片部４４が矩形状の中仕切材料用シートに前記の第１の外側縦片部４４の他側に凸部を残して凹部の切目４４ｂにより形成され、
前記の前記の第１の内側分割縦片部４２と前記の第１の外側縦片部４４の境の非切込部４０の上下端の延長線上に折目４６が形成された一側縦片４８Ａが設けられ、
凹部が形成された前記の第１の外側縦片部４４に隣接して、上下方向に非切込部４０ａが残存され、前記の非切込部４０ａの一側に切目４４ｂを介して縦長の第２の内側分割縦片部５０が形成されるともに、前記の第２の内側分割縦片部５０の一側に前記の第１の外側縦片部４４の他側に凹部を切目４４ｂにより形成させたことによる該凹部と対称の凸部による糊代部５０ａが形成され、前記の非切込部４０ａの他側に縦長であって略コ字状の切れ目５２ｂを形成することにより第２の外側縦片部５２が形成され、
凸部による糊代部５０ａを備えた第２の内側分割縦片部５０とその他側の第２の外側縦片部５２の境の非切込部４０ａの上下端の延長線上に折目４６ｂが形成された他側縦片４８Ｂが設けられてなる一方の中仕切用シート５４Ａと、
前記の一方の中仕切用シート５４Ａと同一の構成による他方の中仕切用シート５４Ｂとからなり、
一方の中仕切用シート５４Ａを裏返し、他方の中仕切用シート５４Ｂを他側へずらして重ね合わせ、
一方の中仕切用シート５４Ａの第２の内側分割縦片部５０の糊代部５０ａと他方の中仕切用シート５４Ｂの第１の内側分割縦片部４２の糊代部４２ａ、一方の中仕切用シート５４Ａの第１の内側分割縦片部４２の糊代部４２ａと他方の中仕切用シート５４Ｂの第２の内側分割縦片部５０の糊代部５０ａのそれぞれの内側面が接着されてなることを特徴とする包装用中仕切。
【請求項３】
前記の一側縦片４８Ａと他側縦片４８Ｂとの間に、
上下方向に非切込部５６ａが残存され、前記の非切込部５６ａの一側に切目５８ｂを介して縦長の第３の内側分割縦片部６０が形成されるともに、前記の第３の内側分割縦片部６０の一側に前記の第１の外側縦片部４４の他側に凹部を切目５８ｂにより形成させたことによる該凹部と対称の凸部による糊代部６０ａが形成され、前記の非切込部５６ａの他側に縦長であって略コ字状の切目６２ｂを形成することにより第３の外側縦片部６２が形成され、
凸部による糊代部６０ａを備えた第３の内側分割縦片部６０とその他側の第３の外側縦片部６２の境の非切込部５６ａの上下端の延長線上に折目４６ｃを備えた中側縦片４８Ｃが設けられてなる一方の中仕切用シート６４Ａと、
前記の一方の中仕切用シート６４Ａと同一の構成による他方の中仕切用シート６４Ｂとからなり、
一方の中仕切用シート６４Ａを裏返し、他方の中仕切用シート６４Ｂを他側へずらして重ね合わせ、
一方の中仕切用シート６４Ａの第２の内側分割縦片部５０の糊代部５０ａと他方の中仕切用シート６４Ｂの第１の内側分割縦片部４２の糊代部４２ａ、一方の中仕切用シート６４Ａの第３の内側分割縦片部６０の糊代部６０ａと他方の中仕切用シート６４Ｂの第３の内側分割縦片部６０の糊代部６０ａ、一方の中仕切用シート６４Ａの第１の内側分割縦片部４２の糊代部４２ａと他方の中仕切用シート６４Ｂの第２の内側分割縦片部５０の糊代部５０ａのそれぞれの内側面が接着されてなることを特徴とする請求項２記載の包装用中仕切。
【請求項４】
一側縦片４８Ａと他側縦片４８Ｂとの間に中側縦片４８Ｃが２以上設けられてなることを特徴とする請求項２または３記載の包装用中仕切。
【請求項５】
一方の中仕切シートと他方の他方の中仕切シートとの間に規制片７０が設けられ、規制片７０の幅が規制片７０寄りの余白部１０ａの幅、規制片７０寄りの内側分割縦片部の幅を加算した幅に設定され、規制片７０の両側に折目Ａ、Ｂが形成されてなることを特徴とする請求項１、２、３または４記載の包装用中仕切。
【請求項６】
非切込部の上下端の延長線上に括れ部が形成されてなることを特徴とする請求項１、２、３、４または５記載の包装用中仕切。
【請求項７】
中仕切用シートにおいて、切目による外側縦片部が形成されることなく、外側縦片部が矩形状の中仕切材料用シートの余白部１０と一体に設けられてなることを特徴とする請求項１、２、３、４、５または６記載の包装用中仕切。
【請求項８】
一対の中仕切用シートにおいて、一方の中仕切用シートに切目による外側縦片部が形成されることなく、外側縦片部が矩形状の中仕切材料用シートの余白部１０と一体に設けられてなることを特徴とする請求項１、２、３、４、５または６記載の包装用中仕切。
【請求項９】
中仕切用シートが段ボールなどの紙材であって一定の肉厚を有するものであることを特徴とする請求項１、２、３、４、５、６、７または８記載の包装用中仕切。
【請求項１０】
中仕切用シートが硬質プラスチックスであることを特徴とする請求項１、２、３、４、５、６、７または８記載の包装用中仕切。
【考案の詳細な説明】
【技術分野】
【０００１】
この考案は、段ボール箱などの包装用箱内に収容して被包装物を包装する折り畳み自在な包装用中仕切に関する。
【背景技術】
【０００２】
被包装物を包装するために、包装用箱内にいわゆるスリットを備えた組仕切と称されている包装用仕切を組立てることにより升目を形成し、升目内に被包装物を入れ、被包装物が包装されることは当業界で周知のとおりである。
この種の組仕切は手軽に利用できる有利性を備えているものの、利便性に欠ける問題点が解消されていない。
そこで、伝統的な組仕切を改良する例として、たとえば、特開２０００−６９５３号公報（特許文献１）の発明が知られている。
【０００３】
この発明は、ボトル収納段ボール箱の組仕切において、一方の仕切板１００の差込溝をボトル肩位置以下に設けると共に、前記ボトル肩位置より上方の仕切をボトル首に沿った形状とし、他方の仕切板１０２を前記ボトル肩位置の高さにして前記の一方の仕切板１００に差し込めるようにしてなり、前記双方の仕切板１００、１０２の前記ボトル肩位置より上方に空間を形成してなるもので、ボトル首部分のスペースを利用してプレミアム物品を収容できるようにし、箱の大きさを変更する必要性などをなくしたものである（図１７を参照）。
【０００４】
しかし、スリットを備えた組仕切を組み立てる作業は、煩雑であるから、この煩雑さを解消することを目的としてたとえば、特開平４−３２７１５０号公報（特許文献１）記載の発明が知られている（図１８を参照）。
【０００５】
後者の背景技術は、矩形段ボールの長手方向の中央に二つ折用の折目１０４が設けられ、長手方向の両縁端からそれぞれ所定の距離を隔てて、底面成形用折目１０６，１０８がそれぞれ設けられ、前記した二つ折用の折目１０４と両側の底面成形用折目１０６、１０８との間にそれぞれ主仕切壁１１０、１１２が形成され、前記の両側の底面成形用折目１０６、１０８と両縁端との間に底面１１４、１１４がそれぞれ形成され、前記した両側の主仕切壁１１０、１１２の所定箇所に矩形状をした複数の副仕切壁１１８、１１８を連接状に切起形成せるために前記の両側の底面成形用折目１０６、１０８に跨がらせて複数の切起用切目１２０をそれぞれ備えた中仕切用台紙が設けられている。
【０００６】
そして、前記した中仕切用台紙が、二つ折用の折目１０４と両側の底面成形用折目１０６、１０８に沿って裏側向きに半ば折り曲げて折り癖を付け、底面成形用折目１０６、１０８を表側に直角に折り返すと共に、二つ折用の折目１０４を完全に二つ折りにすることにより、複数の副仕切壁１１８が切起用切目１２０を介して自ら直角に折曲される。
【０００７】
かくして、背中合わせに縦向きに折り重ねられた主仕切壁１１０、１１２の両側には４箇所の副仕切壁１１８が形成され、６個の仕切区画を備えた中仕切が殆どワンタッチ操作で折り上がるものであり、主仕切壁１１０、１１２の下端には、底面１１４が水平に形成されることや従来のように、複数枚の段ボールを組み合わせて中仕切を作る厄介な手間は一切不要化するなどが記載されている。
【特許文献１】特開２０００−６９５３号公報
【特許文献２】特開平４−３２７１５０号公報
【考案の開示】
【考案が解決しようとする課題】
【０００８】
前者の背景技術は、差込溝を備えた一方の仕切板１００と他方の仕切板１０２を設け、両者の差込溝を組み合わせることにより、手軽に利用できることのほか上方に空間の増加を図ることのできるなどの有利性を有するものの、使用時において一方の仕切板１００と他方の仕切板１０２を組み合わせる作業を欠くことができなく、依然として、その作業は煩雑であった。
【０００９】
他方、後者の背景技術には、「底面成形用折目を表側に直角に折り返すと共に、二つ折用の折目１０４を完全に二つ折りにすることにより、複数の副仕切壁１１８が切起用切目１２０を介して自ら直角に折曲される。
かくして、背中合わせに縦向きに折り重ねられた主仕切壁１１０、１１２の両側には４箇所の副仕切壁１１８が形成され、６個の仕切区画を備えた中仕切が殆どワンタッチ操作で折り上がるものである。」ことが記載されているものの、６個の仕切区画を備えた中仕切が殆どワンタッチ操作で折り上がるとは下記の理由によりいえない。
【００１０】
（１）二つ折用の折目１０４と両側の底面成形用折目１０６、１０８に沿って裏側向きに半ば折り曲げて折り癖を付ける。
（２）底面成形用折目１０６、１０８を表側に直角に折り返すと共に、二つ折用の折目１０４を完全に二つ折りしても、前記（１）および（２）の応力は決して副仕切壁１１８や切起用切目１２０に作用することなく、底面側の副仕切壁１１８の一部（図面上三角形の部分）は、底面１１４と共に底面形成用折目１０６、１０８を境にして水平に連接された状態になるに止まる。
一方、底面形成用折目１０６、１０８の内側の副仕切壁１１８の大部分は主仕切壁１１０、１１２と同一水平面に止まっている。
【００１１】
この背景技術では、６個の仕切区画を備えた中仕切を得るためには、結局、副仕切壁１１８を切起用切目１２０を境にして手作業に直角に折曲し、また、底面側の一部の副仕切壁１１８を底面成形用折目１０６、１０８と斜折り目１２２を境にして手作業により底面に沿わせて折曲させることを必須とする。
【００１２】
以上の理由により後者の背景技術は、一枚の段ボールの所用の複数箇所に折り目や切れ目を設けることにより、中仕切用台紙を得ることのできる有利性を備えるものの、主仕切壁１１０、１１２の両側の４箇所に縦向きの副仕切壁１１８を形成して升目を得るようにするにはワンタッチの作業では実施できなく、使用上の利便性に欠ける問題点があった。
【００１３】
この考案の目的は、一枚の段ボールなどの中仕切材料用シートの所用の複数箇所に折り目や切れ目を設けることにより、升目を形成する横片部と縦片部を備えた中仕切用シートを手軽に得ることと併せて使用時にいわゆるワンタッチ作業により升目を備えた中仕切を提供することにある。
【００１４】
他の目的は、二枚の中仕切用シートの糊代部を互いに接着し易くし、中仕切の生産性の向上化を図ることにある。
【００１５】
他の目的は、升目を形成する縦片部を確実に伸縮できるようにすることにある。
【００１６】
さらに、他の目的は、仕切の強度の増加と使用時の姿勢の安定性を図ることにある。
【課題を解決するための手段】
【００１７】
本考案の課題を解決するための第１の手段は、
矩形状の中仕切材料用シートにおいて、周囲に中仕切の横片部を構成することになる余白部１０が残され、前記の中仕切材料用シートの上下方向に非切込部１２が残存され、前記の非切込部１２の一側に縦長であって略コ字状の切目１４ｂを形成することにより、一側に糊代部１４ａを備えた内側分割縦片部１４が形成されると共に、前記の非切込部１２の他側に前記の内側分割縦片部１４と一体の外側縦片部１６が切目１６ｂを介して備えられ、前記の内側分割縦片部１４と前記の外側縦片部１６の境の非切込部１２の上下端の延長線上に折目１８が形成されてなる一方の中仕切用シート２０Ａと、
前記の一方の中仕切用シート２０Ａと同一の形態による他方の中仕切用シート２０Ｂとからなり、
一方の中仕切用シート２０Ａを裏返し、他方の中仕切用シート２０Ｂを他側へずらして重ね合わせ、
一方の中仕切用シート２０Ａの内側分割縦片部１４の糊代部１４ａと他方の中仕切用シート２０Ｂの内側分割縦片部１４の糊代部１４ａのそれぞれの内側面が接着されてなることを特徴とする包装用中仕切である。
【００１８】
本考案の課題を解決するための第２の手段は、
矩形状の中仕切材料用シートにおいて、周囲に中仕切の横片部を構成することになる余白部１０が残され、上下方向に非切込部４０が残存され、前記の非切込部４０の一側に縦長であって略コ字状の切目４２ｂを形成することにより、一側に糊代部４２ａを備えた第１の内側分割縦片部４２が形成されると共に、前記の非切込部４０の他側に前記の第１の内側分割縦片部４２と一体の第１の外側縦片部４４が矩形状の中仕切材料用シートに前記の第１の外側縦片部４４の他側に凸部を残して凹部の切目４４ｂにより形成され、
前記の前記の第１の内側分割縦片部４２と前記の第１の外側縦片部４４の境の非切込部４０の上下端の延長線上に折り目４６が形成された一側縦片４８Ａが設けられ、
凹部が形成された前記の第１の外側縦片部４４に隣接して、上下方向に非切込部４０ａが残存され、前記の非切込部４０ａの一側に切目４４ｂを介して縦長の第２の内側分割縦片部５０が形成されるともに、前記の第２の内側分割縦片部５０の一側に前記の第１の外側縦片部４４の他側に凹部を切目４４ｂにより形成させたことによる該凹部と対称の凸部による糊代部５０ａが形成され、前記の非切込部４０ａの他側に縦長であって略コ字状の切れ目５２ｂを形成することにより第２の外側縦片部５２が形成され、
凸部による糊代部５０ａを備えた第２の内側分割縦片部５０とその他側の第２の外側縦片部５２の境の非切込部４０ａの上下端の延長線上に折目４６ｂが形成された他側縦片４８Ｂが設けられてなる一方の中仕切用シート５４Ａと、
前記の一方の中仕切用シート５４Ａと同一の構成による他方の中仕切用シート５４Ｂとからなり、
一方の中仕切用シート５４Ａを裏返し、他方の中仕切用シート５４Ｂを他側へずらして重ね合わせ、
一方の中仕切用シート５４Ａの第２の内側分割縦片部５０の糊代部５０ａと他方の中仕切用シート５４Ｂの第１の内側分割縦片部４２の糊代部４２ａ、一方の中仕切用シート５４Ａの第１の内側分割縦片部４２の糊代部４２ａと他方の中仕切用シート５４Ｂの第２の内側分割縦片部５０の糊代部５０ａのそれぞれの内側面が接着されてなることを特徴とする包装用中仕切である。
【００１９】
本考案の課題を解決するための第３の手段は、課題を解決するための第２の手段において、
前記の一側縦片４８Ａと他側縦片４８Ｂとの間に、
上下方向に非切込部５６ａが残存され、前記の非切込部５６ａの一側に切目５８ｂを介して縦長の第３の内側分割縦片部６０が形成されるともに、前記の第３の内側分割縦片部６０の一側に前記の第１の外側縦片部４４の他側に凹部を切目５８ｂにより形成させたことによる該凹部と対称の凸部による糊代部６０ａが形成され、前記の非切込部５６ａの他側に縦長であって略コ字状の切目６２ｂを形成することにより第３の外側縦片部６２が形成され、
凸部による糊代部６０ａを備えた第３の内側分割縦片部６０とその他側の第３の外側縦片部６２の境の非切込部５６ａの上下端の延長線上に折目４６ｃを備えた中側縦片４８Ｃが設けられてなる一方の中仕切用シート６４Ａと、
前記の一方の中仕切用シート６４Ａと同一の構成による他方の中仕切用シート６４Ｂとからなり、
一方の中仕切用シート６４Ａを裏返し、他方の中仕切用シート６４Ｂを他側へずらして重ね合わせ、
一方の中仕切用シート６４Ａの第２の内側分割縦片部５０の糊代部５０ａと他方の中仕切用シート６４Ｂの第１の内側分割縦片部４２の糊代部４２ａ、一方の中仕切用シート６４Ａの第３の内側分割縦片部６０の糊代部６０ａと他方の中仕切用シート６４Ｂの第３の内側分割縦片部６０の糊代部６０ａ、一方の中仕切用シート６４Ａの第１の内側分割縦片部４２の糊代部４２ａと他方の中仕切用シート６４Ｂの第２の内側分割縦片部５０の糊代部５０ａのそれぞれの内側面が接着されてなることを特徴とする包装用中仕切である。
【００２０】
本考案の課題を解決するための第４の手段は、課題を解決するための第２または第３の手段において、
一側縦片４８Ａと他側縦片４８Ｂとの間に中側縦片４８Ｃが２以上設けられてなることを特徴とする包装用中仕切である。
【００２１】
本考案の課題を解決するための第５の手段は、課題を解決するための第１、２、３または第４の手段において、
一方の中仕切シートと他方の他方の中仕切シートとの間に規制片７０が設けられ、規制片７０の幅が規制片７０寄りの余白部１０ａの幅、規制片７０寄りの内側分割縦片部の幅を加算した幅に設定され、規制片７０の両側に折目Ａ、Ｂが形成されてなることを特徴とする包装用中仕切である。
【００２２】
本考案の課題を解決するための第６の手段は、課題を解決するための第１、２、３、４または第５の手段において、
非切込部の上下端の延長線上に括れ部が形成されてなることを特徴とする包装用中仕切である。
【００２３】
本考案の課題を解決するための第７の手段は、課題を解決するための第１、２、３、４、５または第６の手段において、
中仕切用シートにおいて、切目による外側縦片部が形成されることなく、外側縦片部が矩形状の中仕切材料用シートの余白部１０と一体に設けられてなることを特徴とする包装用中仕切である。
【００２４】
本考案の課題を解決するための第８の手段は、課題を解決するための第１、２、３、４、５または第６の手段において、
一対の中仕切用シートにおいて、一方の中仕切用シートに切目による外側縦片部が形成されることなく、外側縦片部が矩形状の中仕切材料用シートの余白部１０と一体に設けられてなることを特徴とする包装用中仕切である。
【００２５】
本考案の課題を解決するための第９の手段は、課題を解決するための第１、２、３、４、５、６、７または第８の手段において、
中仕切用シートが段ボールなどの紙材であって一定の肉厚を有するものであることを特徴とする包装用中仕切である。
【００２６】
本考案の課題を解決するための第１０の手段は、課題を解決するための第１、２、３、４、５、６、７または第８の手段において、
中仕切用シートが硬質プラスチックスであることを特徴とする包装用中仕切である。
【考案の効果】
【００２７】
本考案の課題を解決するための第１の手段は、上記の構成であるから、刃物により、中仕切用シートを単に打ち抜くことによって切り込みを形成することにより、該シートの余白部分を仕切用の横片部として構成でき、該切り込みにより形成された糊代部付の折り畳み自在な縦片を簡便に形成できる利点のほか、二枚の中仕切用シートを配置させ、向かい合わせた縦片の糊代部を接着させることにより、折りたたみ自在な縦片を得ることができるので、二枚の中仕切用シートを互いに異方向に引っ張るだけで６個の格子状の升目を備えた包装用仕切を得ることができる。
【００２８】
本考案の課題を解決するための第２の手段は、上記の構成であるから、解決するための第１の手段が奏する共通の作用効果のほか、９個の格子状の升目を備えた包装用仕切を得ることができる。
【００２９】
本考案の課題を解決するための第３の手段は、上記の構成であるから、解決するための第２の手段が奏する共通の作用効果のほか、１２個の格子状の升目を備えた包装用仕切を得ることができる。
【００３０】
本考案の課題を解決するための第４の手段は、上記の構成であるから、解決するための第３の手段が奏する共通の作用効果のほか、１２個以上の格子状の升目を備えた包装用仕切を得ることができる。
【００３１】
本考案の課題を解決するための第５の手段は、上記の構成であるから、解決す
るための第１、２、３または４の手段が奏する作用効果のほか、一方の中仕切用シートと他方の中仕切用シートを配置し、両者の糊代部を向かい合わせて接着させるのに備え、規制片と他方の中仕切用シートの境の折り目を基準にして規制片を一方の中仕切用シートとともに他方の中仕切用シート側に重合させるだけで、上下二枚の中仕切用シートの内側で可視できない対向する糊代部の位置合わせわせができるから、予め糊代部に接着剤を塗布しておくことにより、両中仕切用シートの糊代部を圧着することにより糊代部を楽に接着できる。
したがって、複雑な制御機構を備えた糊付機器を必要としない。
その上、規制片が存在することにより、使用時の展開された中仕切の姿勢の安定制御に寄与する。
【００３２】
本考案の課題を解決するための第６の手段は、上記の構成であるから、解決す
るための第１、２、３、４または５の手段が奏する作用効果のほか、非切込部の上下端の延長線上に括れ部が形成されているから、括れ部の傍らの折目と相俟って常態では余白部と同一水平面にある内側分割縦片部と外側縦片部を一体に直角に折り曲げる易い。
したがって、使用時に無理なく格子状の升目を備えた仕切を確実に得ることができるし、折り畳み易い。
【００３３】
本考案の課題を解決するための第７の手段は、上記の構成であるから、解決す
るための第１、２、３、４、５または６の手段が奏する作用効果のほか、一方の
中仕切用シートの外側縦片部には切目が形成されることなく、余白部と一体に設けられているから、升目数が減少されるものの、一方の中仕切用シートには切り欠きによる空白部が減少するので、一方の中仕切用シートの強度の増加に寄与する。
したがって、被包装物の種類により、中仕切の強度の増加を必要とする場合に備えることができる。
【００３４】
本考案の課題を解決するための第８の手段は、上記の構成であるから、解決するための第１、２、３、４、５または６の手段が奏する作用効果のほか、必要に応じて４個の升目を備えた中仕切を得ることができる。
【００３５】
本考案の課題を解決するための第９の手段は、上記の構成であるから、解決す
るための第１、２、３、４、５、６、７または８の手段が奏する作用効果のほか、中仕切用シート一方の材料に紙材を採用できる。
【００３６】
本考案の課題を解決するための第１０の手段は、上記の構成であるから、解決するための第１、２、３、４、５、６、７または８の手段が奏する作用効果のほか、中仕切用シート一方の材料に硬質プラスチックスを採用できる。
【考案を実施するための最良の形態】
【００３７】
製造工程の簡素化を図りつつ、併せて使用時に升目を備えた格子状の包装用仕切を手軽に得るという目的を、最小の部品点数と少ない製造工程で包装用仕切の機能を損なうことなく実現した。
【実施例１】
【００３８】
図１ないし図４を参照して実施例１の包装用中仕切の詳細を説明する。
矩形状の中仕切材料用シートにおいて、周囲に包装用中仕切の横片部を構成することになる余白部１０が残されている。
この実施の形態では、被包装物としてワインボトルＷの収容を意図しているから、図面上、上方に仕切の横片を構成することになる余白部１０の面積が広く、左右および下方の余白部１０の面積は少ない。
余白部１０の少ない部分は、換言すれば、仕切の縦片を構成する部分が多く占めるといえる。
【００３９】
中仕切材料用シートは、一般的に段ボールやクラフト紙などの紙材であるが、硬質プラスチックスを採用してもよい。
もっとも、紙材を採用する場合は、使用時に縦片や横片が揺れないように姿勢制御を図るため、一定の肉厚たとえば０．５〜１ｍｍ程度のものが好ましい。
【００４０】
図面上、左側から右側にかけて三片の一側縦片４８Ａ、４８Ｃ、４８Ｂはそれぞれの切目により分離しているが、余白部１０の一部を介して連設されている。
中仕切材料用シートの上下方向に非切込部４０が残存され、非切込部４０の一側に縦長であって略コ字状の切目４２ｂを形成することにより、一側に糊代部４２ａを備えた第１の内側分割縦片部４２が形成されている。
略コ字状の切目４２ｂの概念は文字「コ」に制約されるものではなく、たとえば、文字「Ｃ」をやや平らにした形態、半楕円の形態など縦長が好ましく、縦片として機能を奏する一切の形態を含むものである。
必要なことは他側に非切込部を残して切目により、縦片部の一部たとえば升目の２分の１程度の奥行きを備えたものが形成されている。
【００４１】
他方、前記の非切込部４０の他側に前記の第１の内側分割縦片部４２と一体の第１の外側縦片部４４が切目５８ｂを介して備えられている。
【００４２】
そして、第１の内側分割縦片部４２と第１の外側縦片部４４の境の非切込部４０の上下端の延長線上に折目４６が形成され、常態では余白部１０と同一水平面にある第１の内側分割縦片部４２と第１の外側縦片部４４が直角に折り曲げ易くしている。
【００４３】
さらにいえば、第１の内側分割縦片部４２と第１の外側縦片部４４を非切込部４０の上下端の延長線上の折目４６を介して一層の折曲性の向上化を図るため、図に示されるように、第１の内側分割縦片部４２と第１の外側縦片部４４の非切込部４０寄りに位置する前記した切目４２ｂと切目５８ｂは内側に向けて傾斜された一側縦片４８Ａが形成されている。
【００４４】
このように切目４２ｂと切目５８ｂを内側に向けて傾斜させることにより、非切込部４０の上下端の延長線上に括れ部４７が形成され、第１の内側分割縦片部４２と第１の外側縦片部４４を一体に前記した折目４６と括れ部４７が相俟って折り曲げ易くになるように配慮されている。
【００４５】
次に、追って説明する他側縦片４８Ｂと前記した一側縦片４８Ａとの間に形成される中側縦片４８Ｃについて説明する。
上下方向に非切込部５６ａが残存され、前記の非切込部５６ａの一側に前記した第１の縦片部４４との境の切目５８ｂを介して縦長の第３の内側分割縦片部６０が形成されている。
【００４６】
前記の第３の内側分割縦片部６０の一側に前記の第１の外側縦片部４４の他側に凹部を切目５８ｂにより形成させたことによる該凹部と対称の凸部による糊代部６０ａが形成され、前記の非切込部５６ａの他側に縦長であって略コ字状の切目６２ｂを形成することにより第３の外側縦片部６２が形成されている。
【００４７】
そして、凸部による糊代部６０ａを備えた第３の内側分割縦片部６０とその他側の第３の外側縦片部６２の境の非切込部５６ａの上下端の延長線上に折目４６ｃを備えた中側縦片４８Ｃが設けられている。
【００４８】
この中側縦片４８Ｃにも、一側縦片４８Ａに設けた括れ部４７と同様の構成により、括れ部４７ｃが設けられている。
【００４９】
前記した他側縦片４８Ｂについて説明する。
他側に凹部が形成された前記の第３の外側縦片部６２に隣接して、上下方向に非切込部４０ａが残存され、前記の非切込部４０ａの一側に切目５８ｃを介して縦長の第２の内側分割縦片部５０が形成されるともに、前記の第２の内側分割縦片部５０の一側に前記の第３の外側縦片部６２の他側に凹部を切目５８ｃにより形成させたことによる該凹部と対称の凸部による糊代部５０ａが形成され、前記の非切込部４０ａの他側に縦長であって略コ字状の切れ目５２ｂを形成することにより第２の外側縦片部５２が形成され、
凸部による糊代部５０ａを備えた第２の内側分割縦片部５０とその他側の第２の外側縦片部５２の境の非切込部４０ａの上下端の延長線上に折り目４６ｂが形成された他側縦片４８Ｂが設けられている。
この明細書では、前記した三片の一側縦片４８Ａ、４８Ｃ、４８Ｂにより一方の中仕切用シート６４Ａが設けられている。
【００５０】
他側縦片４８Ｂにも、一側縦片４８Ａや中側縦片４８Ｃに設けた括れ部４７、４７ｃと同様の構成により、括れ部４７ｂが設けられている。
【００５１】
この実施例１の中仕切は、一方の中仕切用シート２０Ａと他方の中仕切用シート２０Ｂの一対から構成されるが、両者は同一の構成によるで両者の糊代部が接着されて中仕切が完成する。
【００５２】
一方の中仕切用シート６４Ａを裏返し、他方の中仕切用シート６４Ｂを他側へずらして重ね合わせ、
一方の中仕切用シート６４Ａの第２の内側分割縦片部５０の糊代部５０ａと他方の中仕切用シート６４Ｂの第１の内側分割縦片部４２の糊代部４２ａ、一方の中仕切用シート６４Ａの第３の内側分割縦片部６０の糊代部６０ａと他方の中仕切用シート６４Ｂの第３の内側分割縦片部６０の糊代部６０ａ、一方の中仕切用シート６４Ａの第１の内側分割縦片部４２の糊代部４２ａと他方の中仕切用シート６４Ｂの第２の内側分割縦片部５０の糊代部５０ａのそれぞれの内側面が接着されてなることにより包装用仕切が構成されている（図２を参照）。
図２に示される包装用仕切は折り畳み時の状態であるが、使用に備えて一方の中仕切用シート６４Ａと他方の中仕切用シート６４Ｂをそれぞれ外側へ軽く引っ張ることにより、図３に示されるように１２個の升目を備えた中仕切が容易に得られる。
【００５３】
なお、一方の中仕切用シート６４Ａと他方の中仕切用シート６４Ｂのそれぞれの糊代部４２ａ、６０ａ、５０ａを向かい合わせて接着するには、位置決めが必要であるが、前記したように一方の中仕切用シート６４Ａを裏返し、他方の中仕切用シート６４Ｂの裏面側に配置するが、一側縦片４８Ａ寄りの余白部１０ａの幅、第１の内側分割縦片部４２の幅を加算した幅αを図面上では右側へずらすこにより、糊代部４２ａ、６０ａ、５０ａの位置決めを行うことができる。  
【実施例２】
【００５４】
この実施例２は、実施例１の発明と比較して本質上の相違はない。
主として生産工程上の向上化を図ることを目的としたものである。
したがって、相違する点について言及し、共通する点については、図面と併せ説明を援用する。
実施例１では、独立して生産した中仕切用シート６４Ａ、６４Ｂの一対を用意し、一方の中仕切用シート６４Ａを裏返し、他方の中仕切用シート６４Ｂと重ね合わせ、各糊代部４２ａ、６０ａ、５０ａのそれぞれを対応させ、それぞれの内側面を接着することを説明したが、糊代部４２ａ、６０ａ、５０ａの位置決めを簡便にした発明がこの例である。
【００５５】
図５ないし図７を参照して説明する。
同一形態の一対の中仕切用シートを一枚の矩形状の中仕切材料用シートから得るようにしている。
中央部の規制片７０の両側に前記した実施例１による一方の中仕切シート６４と他方の中仕切シート６４がそっくり同一の形態により形成されている。
【００５６】
一方の中仕切シート６４Ａと他方の他方の中仕切シート６４Ｂとの間に規制片７０が設けられ、規制片７０の幅が規制片７０寄りの余白部１０ａの幅、規制片７０寄りの第１の内側分割縦片部４２の幅を加算した幅に設定され（以下位置決め幅という）、規制片７０の両側に折目Ａ、Ｂが形成されてなるものである。
【００５７】
そこで、本例の一方の中仕切シート６４Ａと他方の中仕切シート６４Ｂにより、中仕切を得る構成を説明する。
予め、一方の中仕切シート６４Ａの各糊代部４２ａ、６０ａ、５０ａに接着剤を塗布しておく。
もっとも、一方の中仕切シート６４Ａの各糊代部４２ａ、６０ａ、５０ａに接着剤を塗布することに代えて、他方の中仕切シート６４Ｂの各糊代部４２ａ、６０ａ、５０ａに接着剤を塗布することや、両中仕切シート６４Ａ、６４Ｂの各糊代部４２ａ、６０ａ、５０ａに接着剤を塗布することは自由である。
【００５８】
一方の中仕切シート６４Ａ寄りの折目Ｂを境にして裏返し、一方の中仕切シート６４Ａを他方の中仕切シート６４Ｂの裏面に配置する。
かくして、他方の中仕切シート６４Ｂは、両中仕切シート６４Ａ、６４Ｂ間に前記した位置決め幅が設定されているから、実施例１の中仕切のように、積極的に他方の中仕切シート６４Ｂを他側へずらす必要がなく、規制片７０に制御されその幅に対応した幅が図面上において右側へずれて配置される。
【００５９】
このように、他方の中仕切シート６４Ｂが右側へずれて配置されることにより、それぞれの糊代部４２ａ、６０ａ、５０ａは、実施例１と同様に、一方の中仕切用シート６４Ａの第２の内側分割縦片部５０の糊代部５０ａと他方の中仕切用シート６４Ｂの第１の内側分割縦片部４２の糊代部４２ａ、一方の中仕切用シート６４Ａの第３の内側分割縦片部６０の糊代部６０ａと他方の中仕切用シート６４Ｂの第３の内側分割縦片部６０の糊代部６０ａ、一方の中仕切用シート６４Ａの第１の内側分割縦片部４２の糊代部４２ａと他方の中仕切用シート６４Ｂの第２の内側分割縦片部５０の糊代部５０ａのそれぞれの内側面を向き合わせることが容易にでき、各糊代部のそれぞれの内側面を接着させることにより１２個の升目を備えた包装用仕切を得ることができる（図２を参照）。
【実施例３】
【００６０】
この実施例は必ずしも一般的ではないものの、９本のワインボトルＷを収納できる仕切を提供するものである。
この実施例の仕切は、基本的構成において、前記した１２個の升目を構成する実施例１の中仕切と変化は少ないので共通する点については説明を援用し、省略してある。以下図８ないし図１０を参照して説明する。
この例は、実施例１、２において、いわば、中側縦片４８Ｃを除き、一対の一側縦片４８Ａおよび他側縦片４８Ｂを組み合わせものに等しいといえる。
【００６１】
矩形状の中仕切材料用シートにおいて、周囲に中仕切の横片部を構成することになる余白部１０が残され、上下方向に非切込部４０が残存され、前記の非切込部４０の一側に縦長であって略コ字状の切目４２ｂを形成することにより、一側に糊代部４２ａを備えた第１の内側分割縦片部４２が形成されている。
【００６２】
前記の非切込部４０の他側に前記の第１の内側分割縦片部４２と一体の第１の外側縦片部４４が矩形状の中仕切材料用シートに前記の第１の外側縦片部４４の他側に凸部を残して凹部の切目４４ｂにより形成されている。
【００６３】
前記の前記の第１の内側分割縦片部４２と前記の第１の外側縦片部４４の境の非切込部４０の上下端の延長線上に折り目４６が形成された一側縦片４８Ａが設けられている。
【００６４】
凹部が形成された前記の第１の外側縦片部４４に隣接して、上下方向に非切込部４０ａが残存され、前記の非切込部４０ａの一側に切目４４ｂを介して縦長の第２の内側分割縦片部５０が形成されるともに、前記の第２の内側分割縦片部５０の一側に前記の第１の外側縦片部４４の他側に凹部を切目４４ｂにより形成させたことによる該凹部と対称の凸部による糊代部５０ａが形成され、前記の非切込部４０ａの他側に縦長であって略コ字状の切れ目５２ｂを形成することにより第２の外側縦片部５２が形成されている。
【００６５】
凸部による糊代部５０ａを備えた第２の内側分割縦片部５０とその他側の第２の外側縦片部５２の境の非切込部４０ａの上下端の延長線上に折目４６ｂが形成された他側縦片４８Ｂが設けられてなる一方の中仕切用シート５４Ａと、
前記の一方の中仕切用シート５４Ａと同一の構成による他方の中仕切用シート５４Ｂとからなり、
一方の中仕切用シート５４Ａを裏返し、他方の中仕切用シート５４Ｂを他側へずらして重ね合わせ、
一方の中仕切用シート５４Ａの第２の内側分割縦片部５０の糊代部５０ａと他方の中仕切用シート５４Ｂの第１の内側分割縦片部４２の糊代部４２ａ、一方の中仕切用シート５４Ａの第１の内側分割縦片部４２の糊代部４２ａと他方の中仕切用シート５４Ｂの第２の内側分割縦片部５０の糊代部５０ａのそれぞれの内側面が接着されてなる包装用中仕切である。
【実施例４】
【００６６】
この実施例の仕切は、基本的構成において、６個の升目を備えた中仕切の例である。
実施例１ないし３の中仕切と発明の本質の変化は少ないので共通する点については説明を援用し、省略してある。
以下図１１ないし図１３を参照して説明する。
この例は、実施例１、２、３において、いわば、一対の一側縦片４８Ａを組み合わせものに等しいといえる。
【００６７】
矩形状の中仕切材料用シートにおいて、周囲に中仕切の横片部を構成することになる余白部１０が残され、前記の中仕切材料用シートの上下方向に非切込部１２が残存され、前記の非切込部１２の一側に縦長であって略コ字状の切目１４ｂを形成することにより、一側に糊代部１４ａを備えた内側分割縦片部１４が形成されている。
【００６８】
前記の非切込部１２の他側に前記の内側分割縦片部１４と一体の外側縦片部１６が切目１６ｂを介して備えられ、前記の内側分割縦片部１４と前記の外側縦片部１６の境の非切込部１２の上下端の延長線上に折目１８が形成されてなる一方の中仕切用シート２０Ａと、
前記の一方の中仕切用シート２０Ａと同一の形態による他方の中仕切用シート２０Ｂとからなり、
一方の中仕切用シート２０Ａを裏返し、他方の中仕切用シート２０Ｂを他側へずらして重ね合わせ、
一方の中仕切用シート２０Ａの内側分割縦片部１４の糊代部１４ａと他方の中仕切用シート２０Ｂの内側分割縦片部１４の糊代部１４ａのそれぞれの内側面が接着されてなる包装用中仕切である。
【実施例５】
【００６９】
この実施例は、升目数を１５個以上設けるようにしたもので、前記した一側縦片４８Ａと他側縦片４８Ｂとの間に中側縦片４８Ｃが２以上設けるようにしたものである（図１４を参照）。
【実施例６】
【００７０】
この実施例は、升目数を２０個設けるようにしたもので、前記した包装用仕切の二組が並列状態に配置され、外側縦片が互いに接着されてなるものであり、図１５の例では升目数が２０個の例である。
【実施例７】
【００７１】
この実施例は、図１６に示すように、先の実施例において、
中仕切用シートに、切目による外側縦片部が形成されることなく、外側縦片部が矩形状の中仕切材料用シートの余白部１０と一体に設けられてなるものである。したがって、内側分割縦片部１４、５０、６０により升目が形成されるから、升目数は減少するが、余白部の面積の増加により、中仕切の強度の増加に寄与する。
【実施例８】
【００７２】
この実施例を図１６を参照して説明すると、一対の中仕切用シートにおいて、一方の中仕切用シートに切目による外側縦片部が形成されることなく、外側縦片部が矩形状の中仕切材料用シートの余白部１０と一体に設けられてなるものである。
この例によれば、必要に応じて、両側の第１の内側分割縦片部１４のみを採用すれば４個の升目を備えた中仕切を得ることができる。
前記した実施例７、８の内側分割縦片部１４、５０、６０は余白部に対して直角方向へ折り曲げることになるから、余白部と内側分割縦片部１４、５０、６０の境には折目４１を形成することが好ましい。
【図面の簡単な説明】
【００７３】
【図１】この考案の実施の形態に係る包装用中仕切用シートの平面図である（実施例１）。
【図２】この考案の実施の形態に係る包装用中仕切の折り畳み時の平面図である（実施例１）。
【図３】この考案の実施の形態に係る包装用中仕切の斜視図である（実施例１）。
【図４】この考案の実施の形態に係る包装用中仕切の使用状態の平面による説明図である（実施例１）。
【図５】この考案の実施の形態に係る包装用中仕切用シートの平面図である（実施例２）。
【図６】この考案の実施の形態に係る包装用中仕切の折り畳み時の平面図である（実施例２）。
【図７】この考案の実施の形態に係る包装用中仕切の斜視図である（実施例２）。
【図８】この考案の実施の形態に係る包装用中仕切用シートの平面図である（実施例３）。
【図９】この考案の実施の形態に係る包装用中仕切の斜視図である（実施例３）。
【図１０】この考案の実施の形態に係る包装用中仕切の使用状態の平面による説明図である（実施例３）。
【図１１】この考案の実施の形態に係る包装用中仕切用シートの平面図である（実施例４）。
【図１２】この考案の実施の形態に係る包装用中仕切の斜視図である（実施例４）。
【図１３】この考案の実施の形態に係る包装用中仕切の使用状態の平面による説明図である（実施例４）。
【図１４】この考案の実施の形態に係る包装用中仕切の使用状態の平面による説明図である（実施例５）。
【図１５】この考案の実施の形態に係る包装用中仕切の使用状態の平面による説明図である（実施例６）。
【図１６】この考案の実施の形態に係る包装用中仕切の斜視図である（実施例７、８）。
【図１７】この考案の背景技術の斜視図である。
【図１８】この考案の他の背景技術の斜視図である。
【符号の説明】
【００７４】
１０  余白部
１０ａ  一側縦片寄りの余白部
１２  非切込部
１４  内側分割縦片部
１４ａ  糊代部
１４ｂ  切目
１６  外側縦片部
１６ｂ  切目
１８  折目
１８ａ  括れ部
２０Ａ  一方の中仕切用シート
２０Ｂ  他方の中仕切用シート
４０  非切込部
４０ａ  非切込部
４１  折目
４２  第１の内側分割縦片部
４２ａ  糊代部
４２ｂ  切目
４４  第１の外側縦片部
４４ｂ  切目
４６  折目
４６ｂ  折目
４６ｃ  折目
４７  括れ部
４７ｂ  括れ部
４７ｃ  括れ部
４８Ａ  一側縦片
４８Ｂ  他側縦片
４８Ｃ  中側縦片
４８ｂ  切目
５０  第２の内側分割縦片部
５０ａ  糊代部
５２ｂ  切目
５２  第２の外側縦片部
５４Ａ  一方の中仕切用シート
５４Ｂ  他方の中仕切用シート
５６ａ  非切込部
５８ｂ  切目
６０  第３の内側分割縦片部
６０ａ  糊代部
６２  第３の外側縦片部
６２ｂ  切目
６４Ａ  一方の中仕切用シート
６４Ｂ  他方の中仕切用シート
７０  規制片
８０  包装用箱
Ａ  規制片の折目
Ｂ  規制片の折目
Ｗ  ワインボトル
α  一側縦片４８Ａ寄りの余白部１０ａの幅、第１の内側分割縦片部４２の幅を加算した幅
【図１】
0003118256.tif 000003
【図２】
0003118256.tif 000004
【図３】
0003118256.tif 000005
【図４】
0003118256.tif 000006
【図５】
0003118256.tif 000007
【図６】
0003118256.tif 000008
【図７】
0003118256.tif 000009
【図８】
0003118256.tif 000010
【図９】
0003118256.tif 000011
【図１０】
0003118256.tif 000012
【図１１】
0003118256.tif 000013
【図１２】
0003118256.tif 000014
【図１３】
0003118256.tif 000015
【図１４】
0003118256.tif 000016
【図１５】
0003118256.tif 000017
【図１６】
0003118256.tif 000018
【図１７】
0003118256.tif 000019
【図１８】
0003118256.tif 000020